(57)【要約】空調室から家屋を構成する空間である居室に空気を搬送する搬送ファンと、居室における人の在・不在を検知する人感センサーと、搬送ファンを制御する空調システムコントローラと、を備え、少なくとも居室の目標空調環境を取得する目標空調環境取得部と、人感センサーからの情報に基づき人が存在する在居室を判定し、在居室を目標空調環境に近づけるよう、在居室に空気を搬送する搬送ファンを制御する在居室空調環境制御部と、人感センサーからの情報に基づき人が存在しない不在居室を判定し、不在居室を前記在居室に対して目標空調環境よりもエネルギー負荷の低い準目標空調環境に近づけるよう、不在居室に空気を搬送する搬送ファンを制御する不在居室空調環境制御部と、を備えた空調システム等を提供する。
2020195337.tif 000002
【特許請求の範囲】
【請求項１】
空調した空調室の空気を搬送して家屋を空調する空調システムであって、
前記空調室から前記家屋を構成する空間である居室に空気を搬送する搬送ファンと、
前記居室における人の在・不在を検知する人感センサと、
前記搬送ファンを制御する空調システムコントローラと、を備え、
前記空調システムコントローラは、
少なくとも前記居室の目標空調環境を取得する目標空調環境取得部と、
前記人感センサからの情報に基づき人が存在する在居室を判定し、当該在居室を前記目標空調環境に近づけるよう、前記在居室に空気を搬送する搬送ファンを制御する在居室空調環境制御部と、
前記人感センサからの情報に基づき人が存在しない不在居室を判定し、当該不在居室を前記在居室に対して前記目標空調環境よりもエネルギー負荷の低い準目標空調環境に近づけるよう、前記不在居室に空気を搬送する搬送ファンを制御する不在居室空調環境制御部と、を備えた空調システム。
【請求項２】
前記不在居室空調環境制御部は、
前記不在居室の前記準目標空調環境を、前記在居室からの隣接空間距離に応じて変更する請求項１記載の空調システム。
【請求項３】
前記不在居室空調環境制御部は、
前記隣接空間距離が遠い不在居室ほどエネルギー負荷の低い準目標空調環境に制御する請求項２記載の空調システム。
【請求項４】
前記空調システムコントローラは、
所定の不在居室を仮想在居室に変更する旨の在居室命令を受け付ける変更受付部と、
前記変更受付部を介して受け付けた前記在居室命令に基づいて前記所定の不在居室を仮想在居室に変更する制御変更部と、を備え、
前記在居室空調環境制御部は、
前記仮想在居室に設定された前記不在居室を前記目標空調環境に近づけるよう、前記仮想在居室に対応する居室に空気を搬送する搬送ファンを制御する、請求項１記載の空調システム。
【請求項５】
前記空調システムコントローラは、
前記仮想在居室における人感センサからの情報に基づき当該仮想在居室における人の存在が検知された場合に前記仮想在居室を前記在居室に変更する仮想在居室解除部を備えた請求項４記載の空調システム。
【請求項６】
前記在居室命令は、
所定の待機時間に関する情報を含み、
前記空調システムコントローラは、
前記制御変更部が前記変更受付部を介して前記在居室命令を受け付けた際に、前記待機時間に基づいて、前記仮想在居室に設定された前記不在居室を前記目標空調環境に近づけるまでの待機時間を設定するタイマー設定部を備えた請求項４記載の空調システム。
【請求項７】
前記空調システムコントローラは、
所定の在居室を仮想不在居室に変更する旨の不在居室命令を受け付ける変更受付部と、
前記変更受付部を介して受け付けた前記不在居室命令に基づいて前記所定の在居室を仮想不在居室に変更する制御変更部と、を備え、
前記不在居室空調環境制御部は、
前記仮想不在居室に設定された前記在居室を前記準目標空調環境に近づけるよう、前記仮想不在居室に対応する居室に空気を搬送する搬送ファンを制御する、請求項１記載の空調システム。
【請求項８】
前記空調システムコントローラは、
前記仮想不在居室における人感センサからの情報に基づき当該仮想不在居室における人の存在が検知されない場合に前記仮想不在居室を前記不在居室に変更する仮想不在居室解除部を備えた請求項７記載の空調システム。
【請求項９】
前記不在居室命令は、
所定の待機時間に関する情報を含み、
前記空調システムコントローラは、
前記制御変更部が前記変更受付部を介して前記不在居室命令を受け付けた際に、前記待機時間に基づいて、前記仮想不在居室に設定された前記在居室を前記準目標空調環境に近づけるまでの待機時間を設定するタイマー設定部を備えた請求項７記載の空調システム。
【請求項１０】
空調した空調室の空気を搬送して家屋を構成する居室と非居室とを空調する空調システムであって、
前記空調室から前記居室及び前記非居室に空気を搬送する搬送ファンと、
前記搬送ファンを制御する空調システムコントローラと、を備え、
前記空調システムコントローラは、
少なくとも前記居室の目標空調環境を取得する目標空調環境取得部と、
前記居室に対して前記目標空調環境に近づけるよう、前記居室に空気を搬送する搬送ファンを制御する居室空調環境制御部と、
前記非居室に対して前記目標空調環境よりもエネルギー負荷の低い準目標空調環境に近づけるよう、前記非居室に空気を搬送する搬送ファンを制御する非居室空調環境制御部と、を備えた空調システム。
【請求項１１】
前記目標空調環境は、温度、湿度、清浄度の少なくとも１つを含む請求項１または１０記載の空調システム。
【発明の詳細な説明】
【技術分野】
【０００１】
本開示は、空調システムに関するものである。
【背景技術】
【０００２】
従来、住居に対して全館空調機での空調が行なわれている。また、省エネルギー住宅需要の高まりや規制強化に伴い、高断熱・高気密住宅が増加していくことが予想されており、その特徴に適した空調システムが要望されている。【０００３】
例えば特許文献１に示されるように、複数個の居室を備えた高断熱・高気密家屋において、空調機を独立して設けるとともに、空調室と各居室を連結する給気ダクトを備え、各居室に配置されたコントローラにより空調室内空気を個別的に分配給気する方法が知られている。
【先行技術文献】
【特許文献】
【０００４】
【特許文献１】特開２０１１−１２７８４５号公報
【発明の概要】
【０００５】
このような従来の空調システムは、居室内における人の在・不在に関わらず、温度を所定の目標温度に均一化する。しかしながら、実際には、人が居室内に存在しない場合や、複数の居室内に存在する場合、あるいはいずれかの居室内のみに存在する場合等が考えられる。このため、全居室に対して同一の温度制御を行うことは、エネルギー効率の面で非効率であるといえる。
【０００６】
そこで本開示は、上記従来の課題を解決するものであり、複数の居室における人の在・不在や居室であるか否かに基づいて、エネルギー効率の高い空調制御を行う空調システムを提供することを目的とする。
【０００７】
そして、この目的を達成するために、本開示は、空調した空調室の空気を搬送して家屋を空調する空調システムであって、空調室から家屋を構成する空間である居室に空気を搬送する搬送ファンと、居室における人の在・不在を検知する人感センサーと、搬送ファンを制御する空調システムコントローラと、を備え、空調システムコントローラは、少なくとも居室の目標空調環境を取得する目標空調環境取得部と、人感センサーからの情報に基づき人が存在する在居室を判定し、在居室を前記目標空調環境に近づけるよう、在居室に空気を搬送する搬送ファンを制御する在居室空調環境制御部と、人感センサーからの情報に基づき人が存在しない不在居室を判定し、不在居室を前記在居室に対して目標空調環境よりもエネルギー負荷の低い準目標空調環境に近づけるよう、不在居室に空気を搬送する搬送ファンを制御する不在居室空調環境制御部と、を備える。これにより所期の目的を達成するものである。
【０００８】
本開示によれば、複数の居室における人の在・不在や居室であるか否かに基づいて、エネルギー効率の高い空調制御を行う空調システムを提供することができる。
【図面の簡単な説明】
【０００９】
【図１】図１は、本開示の第１実施形態に係る空調システムの接続概略図である。
【図２】図２は、本開示の第１実施形態に係る家屋の居室配置の一例を示す図である。
【図３】図３は、本開示の第１実施形態に係る空調システムのシステムコントローラの概略機能ブロック図である。
【図４】図４は、本開示の第１実施形態に係る家屋の居室の温度分布を示す図である。
【図５】図５は、本開示の第１実施形態に係る空調処理を示すフローチャートである。
【図６】図６は、本開示の第１実施形態に係る空調室の温度と居室の室内温度と居室目標温度との関係の一例を示す図である。
【図７】図７は、本開示の第１実施形態に係る空調室温度制御処理を示すフローチャートである。
【図８】図８は、本開示の第１実施形態に係るファン風量設定処理を示すフローチャートである。
【図９】図９は、本開示の第１実施形態に係るファン風量調整処理を示すフローチャートである。
【図１０】図１０は、本開示の第１実施形態に係る空調室負荷低減処理を示すフローチャートである。
【図１１】図１１は、本開示の第２実施形態に係る空調システムのシステムコントローラの概略機能ブロック図である。
【図１２】図１２は、本開示の第２実施形態に係る入出力端末の画面上での操作を示す図である。
【図１３】図１３は、本開示の第３実施形態に係る空調システムの接続概略図である。
【図１４】図１４は、本開示の第３実施形態に係る空調システムのシステムコントローラの概略機能ブロック図である。
【発明を実施するための形態】
【００１０】
以下、本開示を実施するための形態について添付図面を参照して説明する。なお、以下に説明する実施の形態は、いずれも本開示の好ましい一具体例を示すものである。よって、以下の実施の形態で示される、数値、形状、材料、構成要素、構成要素の配置位置及び接続形態、並びに、ステップ（工程）及びステップの順序などは、一例であって本開示を限定する主旨ではない。従って、以下の実施の形態における構成要素のうち、本開示の最上位概念を示す独立請求項に記載されていない構成要素については、任意の構成要素として説明される。また、各図において、実質的に同一の構成に対しては同一の符号を付しており、重複する説明は省略又は簡略化する。
【００１１】
（実施の形態１）
まず、図１、図２を参照して、本開示の実施の形態１に係る空調システム１９について説明する。図１は、本実施の形態に係る空調システム１９の接続概略図であり、図２は、本実施の形態に係る一般住宅１の居室配置の一例を示す図である。
【００１２】
空調システム１９は、外気導入ファン４と、複数の排気ファン５（排気ファン５ａ，５ｂ，５ｃ，５ｄ，５ｅ，５ｆ，５ｇ，５ｈ，５ｉ）と、複数の搬送ファン３（搬送ファン３ａ，３ｂ，３ｃ，３ｄ，３ｅ，３ｆ，３ｇ，３ｈ，３ｉ）と、複数の循環ファン６（６ａ，６ｂ，６ｃ，６ｄ，６ｅ，６ｆ，６ｇ，６ｈ，６ｉ）と、居室温度センサー９（居室温度センサー９ａ，９ｂ，９ｃ，９ｄ，９ｅ，９ｆ，９ｇ，９ｈ，９ｉ）と、居室湿度センサー１０（居室湿度センサー１０ａ，１０ｂ，１０ｃ，１０ｄ，１０ｅ，１０ｆ，１０ｇ，１０ｈ，１０ｉ）と、居室人感センサー１１（居室人感センサー１１ａ，１１ｂ，１１ｃ，１１ｄ，１１ｅ，１１ｆ，１１ｇ，１１ｈ，１１ｉ）と、空調室温度センサー１２と、空調室湿度センサー１３と、エアコンディショナー７と、加湿器１５と、除湿器１６と、空気清浄機４０と、入出力端末１８と、システムコントローラ８ａ（空調システムコントローラに該当）と、を備えて構成される。
【００１３】
空調システム１９は、家屋の一例である一般住宅１内に設置される。一般住宅１は、複数（本実施形態では９つ）の居室２（居室２ａ，２ｂ，２ｃ，２ｄ，２ｅ，２ｆ，２ｇ，２ｈ，２ｉ）に加え、居室２と独立した少なくとも１つの空調室１７を有している。ここで一般住宅１（住宅）とは、居住者がプライベートな生活を営む場として提供された住居であり、一般的な構成として居室２にはリビング（居間）、ダイニング（台所・食堂）、寝室、物置、子供部屋等が含まれる。また空調システム１９が提供する居室にトイレ、浴室、洗面所、脱衣所、廊下、玄関等を含んでもよい。
【００１４】
空調室１７は、各居室２より搬送された空気同士が混合される。また、外気導入ファン４により外気が空調室１７内に取り込まれ、循環ファン６によって各居室２より搬送された空気と混合される。空調室１７の空気は、空調室１７内に設けられたエアコンディショナー７、加湿器１５、除湿器１６、及び空気清浄機４０等によって温度、湿度、清浄度が好適に制御され、すなわち空調環境が最適化されて、居室２に搬送すべき空気が生成される。空調室１７にて空調された空気は、搬送ファン３により、各居室２に搬送される。
【００１５】
各居室２の空気は、循環ファン６により空調室１７へ搬送される他、排気ファン５によって居室２内から一般住宅１外へ外気として排出される。空調システム１９は、排気ファン５の排気風量を制御して室内から外気を排出しつつ、その排気ファン５の排気風量と連動させながら外気導入ファン４の給気風量を制御して室内に外気を取り込むことで、第１種換気方式の換気が行われる。
【００１６】
外気導入ファン４は、一般住宅１の室内に外気を取り込むファンであり、給気ファンや熱交換気扇の給気機能等が該当する。上述した通り、外気導入ファン４により取り込まれた外気は、空調室１７内に導入される。外気導入ファン４の給気風量は、複数段階で設定可能に構成されており、その排気風量は、後述するように、排気ファン５の排気風量に応じて設定される。
【００１７】
排気ファン５は、対応する居室２の空気の一部を例えば排気ダクトを介して外気として排出するファンであり、天埋換気扇、壁掛換気扇、レンジフード、熱交換気扇の排気機能等が該当する。なお、図１においては排気ファン５に接続された排気ダクトは直接一般住宅１外へ接続されているが、熱交換気扇の排気機能を利用する場合には、排気ダクトはいったん熱交換気扇に接続されてから一般住宅１外へ接続される。つまり排気ダクトを通る空気が熱交換気扇の給気風路を通る空気との間で熱交換されたのち、一般住宅１外へ排出される。排気ファン５ａは居室２ａに、排気ファン５ｂは居室２ｂに、排気ファン５ｃは居室２ｃに、排気ファン５ｄは居室２ｄに、排気ファン５ｅは居室２ｅに、排気ファン５ｆは居室２ｆに、排気ファン５ｇは居室２ｇに、排気ファン５ｈは居室２ｈ、排気ファン５ｉは居室２ｉに設けられている。
【００１８】
各排気ファン５は、その排気風量が複数段階で設定可能に構成されている。通常時は、予め設定された排気風量となるように各排気ファン５は制御される。そして、ユーザによる設定や、各種センサーにより取得された値に応じて、排気ファン５ａ〜５ｉ毎に排気風量が制御される。
【００１９】
搬送ファン３ａ〜３ｉは、それぞれ居室２ａ〜２ｉに対応して空調室１７の例えば壁面に設けられている。空調室１７の空気は、搬送ファン３ａによって搬送ダクトを介して居室２ａに搬送され、搬送ファン３ｂによって搬送ダクトを介して居室２ｂに搬送され、搬送ファン３ｃによって搬送ダクトを介して居室２ｃに搬送される。また、空調室１７の空気は、搬送ファン３ｄによって搬送ダクトを介して居室２ｄに搬送され、搬送ファン３ｅによって搬送ダクトを介して居室２ｅに搬送され、搬送ファン３ｆによって搬送ダクトを介して居室２ｆに搬送される。また、空調室１７の空気は、搬送ファン３ｇによって搬送ダクトを介して居室２ｇに搬送され、搬送ファン３ｈによって搬送ダクトを介して居室２ｈに搬送され、搬送ファン３ｉによって搬送ダクトを介して居室２ｉに搬送される。
【００２０】
なお、各居室と接続される搬送ダクトは他の居室と接続される搬送ダクトと独立して設けられる。
【００２１】
循環ファン６ａは居室２ａに、循環ファン６ｂは居室２ｂに、循環ファン６ｃは居室２ｃに、循環ファン６ｄは居室２ｄに、循環ファン６ｅは居室２ｅに、循環ファン６ｆは居室２ｆに、循環ファン６ｇは居室２ｇに、循環ファン６ｈは居室２ｈに、循環ファン６ｉは居室２ｉに設けられている。居室２ａ〜２ｉの空気の一部は、それぞれ対応する循環ファン６ａ〜６ｉによって、循環ダクトを介して空調室１７に搬送される。なお、空調室１７と居室とを接続する循環ダクトはそれぞれ互いに独立して設けられてもよいが、循環ダクトの一部である複数の支流ダクトを途中より合流させて１つの循環ダクトに統合した後、空調室１７に接続されてもよい。
【００２２】
エアコンディショナー７は、空調機に該当するものであり、空調室１７の空調を制御する。エアコンディショナー７は、空調室１７の空気の温度が設定された空調室目標空調温度となるように、空調室１７の空気を冷却又は加熱する。
【００２３】
加湿器１５は、空調室１７の空気の湿度が設定された空調室目標空調湿度よりも低い場合にその湿度が空調室目標空調湿度となるように、空調室１７の空気を加湿する。なお、加湿器１５がエアコンディショナー７に内蔵されている場合もあるが、複数の居室２に対応するだけの加湿能力を得るために、エアコンディショナー７とは独立した加湿器１５を備えるのが望ましい。
【００２４】
除湿器１６は、空調室１７の空気の湿度が設定された空調室目標空調湿度よりも高い場合にその湿度が空調室目標空調湿度となるように、空調室１７の空気を除湿する。なお、除湿器１６がエアコンディショナー７に内蔵されている場合もあるが、複数の居室２に対応するだけの除湿能力を得るために、エアコンディショナー７とは独立した除湿器１６を備えるのが望ましい。
【００２５】
空気清浄機４０は、空調室１７の空気の清浄度が設定された空調室目標空調清浄度よりも高い場合にその清浄度が空調室目標空調清浄度となるように、空調室１７の空気を清浄する。なお、空気清浄機４０がエアコンディショナー７に内蔵されている場合もあるが、複数の居室２に対応するだけの清浄能力を得るために、エアコンディショナー７とは独立した空気清浄機４０を備えるのが望ましい。
【００２６】
居室温度センサー９ａは、居室２ａに設けられ、居室温度センサー９ｂは、居室２ｂに設けられ、居室温度センサー９ｃは、居室２ｃに設けられている。また、居室温度センサー９ｄは、居室２ｄに設けられ、居室温度センサー９ｅは、居室２ｅに設けられ、居室温度センサー９ｆは、居室２ｆに設けられている。また、居室温度センサー９ｇは、居室２ｇに設けられ、居室温度センサー９ｈは、居室２ｈに設けられ、居室温度センサー９ｉは、居室２ｉに設けられている。居室温度センサー９ａ〜９ｉは、対応する居室２ａ〜２ｉそれぞれの室内温度を取得して、システムコントローラ８に送信するセンサーである。
【００２７】
居室湿度センサー１０ａは、居室２ａに設けられ、居室湿度センサー１０ｂは、居室２ｂに設けられ、居室湿度センサー１０ｃは、居室２ｃに設けられている。また、居室湿度センサー１０ｄは、居室２ｄに設けられ、居室湿度センサー１０ｅは、居室２ｅに設けられ、居室湿度センサー１０ｆは、居室２ｆに設けられている。また、居室湿度センサー１０ｇは、居室２ｇに設けられ、居室湿度センサー１０ｈは、居室２ｈに設けられ、居室湿度センサー１０ｉは、居室２ｉに設けられている。居室湿度センサー１０は、対応する居室２ａ〜２ｉそれぞれの室内湿度を取得して、システムコントローラ８ａに送信するセンサーである。
【００２８】
居室人感センサー１１ａは、居室２ａに設けられ、居室人感センサー１１ｂは、居室２ｂに設けられ、居室人感センサー１１ｃは、居室２ｃに設けられている。また、居室人感センサー１１ｄは、居室２ｄに設けられ、居室人感センサー１１ｅは、居室２ｅに設けられ、居室人感センサー１１ｆは、居室２ｆに設けられている。また、居室人感センサー１１ｇは、居室２ｇに設けられ、居室人感センサー１１ｈは、居室２ｈに設けられ、居室人感センサー１１ｉは、居室２ｉに設けられている。居室人感センサー１１は、対応する居室２ａ〜２ｉそれぞれの室内の人の在・不在情報を取得して、システムコントローラ８ａに送信するセンサーである。居室人感センサー１１は、対象居室２内における人の在・不在を検知するための機器であればその形態を問わない。つまり、居室人感センサー１１は、例えば直接的に人の存在を検知する、赤外線センサー、画像センサー、ＣＯ２濃度センサーなどが該当するが、それぞれの精度、特性が異なり、目的に応じて採用することができる。また、人が携帯する携帯通信端末が居室２に備えられた通信機と通信することで当該居室における人の存在を判定する例えば近接無線通信等の場合等には、通信機が本願における居室人感センサー１１に該当する。
【００２９】
空調室温度センサー１２は、空調室１７の空気の温度を取得して、システムコントローラ８ａに送信するセンサーである。なお、空調室温度センサー１２は、エアコンディショナー７に内蔵されている場合もあるが、エアコンディショナー７に内蔵されている場合にはエアコンディショナー７周囲（例えば給気口付近）の情報しか得られない。空調室１７は、上述のように外気と各居室２から搬送された空気とが混合されるため、空調室１７全体としての情報が得られるように、エアコンディショナー７とは独立して温度センサーを備えるのが望ましい。
【００３０】
空調室湿度センサー１３は、空調室１７の空気の湿度を取得して、システムコントローラ８ａに送信するセンサーである。なお、空調室湿度センサー１３も空調室温度センサー１２と同様の理由で、空調室１７全体としての情報が得られるように、エアコンディショナー７とは独立して温度センサーを備えるのが望ましい。
【００３１】
システムコントローラ８ａは、空調システム１９全体を制御するコントローラである。システムコントローラ８ａは、外気導入ファン４、排気ファン５、搬送ファン３、循環ファン６、居室温度センサー９、居室湿度センサー１０、居室人感センサー１１、空調室温度センサー１２、空調室湿度センサー１３、エアコンディショナー７、加湿器１５及び除湿器１６、空気清浄機４０と、無線通信により通信可能に接続されている。
【００３２】
システムコントローラ８ａは、排気ファン５の排気風量に応じた風量となるように、外気導入ファン４の給気風量を設定する等、外気導入ファン４と排気ファン５とを連動させて制御する。これにより、一般住宅１に対して第１種換気方式による換気が行われる。
【００３３】
また、システムコントローラ８ａは、空調室温度センサー１２及び空調室湿度センサー１３により取得される空調室１７の空気の温度及び湿度に基づいて、空調室１７の温度及び湿度の少なくとも一方が、空調室１７に設定された空調室目標空調温度及び空調室目標空調湿度の少なくとも一方となるように、空調機としてのエアコンディショナー７、加湿器１５、除湿器１６を制御する。またシステムコントローラ８ａは、空調室１７の清浄度が、空調室１７に設定された空調室目標空調環境清浄度となるように、空調機としての空気清浄機４０を制御する。
【００３４】
また、システムコントローラ８ａは、居室人感センサー１１により取得された各居室２の人の在・不在情報に応じて、人が存在する在居室及び人が存在しない不在居室を判断する。
【００３５】
そして、システムコントローラ８ａは、居室温度センサー９及び居室湿度センサー１０により取得された各居室２の室内温度、室内湿度と、在居室に設定された目標空調温度、目標空調湿度等に応じて、搬送ファン３の風量や循環ファン６の風量を設定する。
【００３６】
さらに、システムコントローラ８ａは、居室温度センサー９及び居室湿度センサー１０により取得された各居室２の室内温度、室内湿度と、不在居室に設定された準目標空調温度、準目標空調湿度等に応じて、搬送ファン３の風量や循環ファン６の風量を設定する。
【００３７】
これにより、空調室１７にて空調された空気が、対応する搬送ファン３に設定された風量で各居室２に搬送され、また、各居室２の空気が、対応する循環ファン６に設定された風量で空調室１７に搬送される。よって、各居室２の室内温度、室内湿度、及び清浄度の少なくとも一つが、目標空調温度や目標空調湿度、及び目標空調清浄度の少なくとも一つとなるように制御される。
【００３８】
なお、上述のシステムコントローラ８ａの詳細な処理は後述する。
【００３９】
ここで、システムコントローラ８ａと、外気導入ファン４、排気ファン５、搬送ファン３、循環ファン６、居室温度センサー９、居室湿度センサー１０、居室人感センサー１１、空調室温度センサー１２、空調室湿度センサー１３、エアコンディショナー７、加湿器１５、除湿器１６及び空気清浄機４０が、無線通信で接続されることにより、複雑な配線工事を不要とすることができる。ただし、これら全体を、又は、システムコントローラ８とこれらの一部を、有線通信により通信可能に構成してもよい。
【００４０】
入出力端末１８は、システムコントローラ８ａと無線通信により通信可能に接続され、空調システム１９を構築するうえで必要な情報の入力を受け付けてシステムコントローラ８に記憶させたり、空調システム１９の状態をシステムコントローラ８から取得して表示したりするものである。入出力端末１８は、携帯電話、スマートフォン、タブレットといった携帯情報端末が例として挙げられる。
【００４１】
なお、入出力端末１８は、必ずしも無線通信によりシステムコントローラ８ａと接続される必要はなく、有線通信により通信可能にシステムコントローラ８ａと接続されてもよい。この場合、入出力端末１８は、例えば、壁掛のリモートコントローラにより実現されるものであってもよい。
【００４２】
次いで、図３を参照して、システムコントローラ８ａの各機能について説明する。図３は、システムコントローラ８ａの概略機能ブロック図である。
【００４３】
システムコントローラ８ａは、空調室温度制御部２３、送風量決定部２４ａ、ファン風量制御部２０、送風総量算出部２５、送風量比較部２６、記憶部３０を備える。
【００４４】
空調室温度制御部２３は、冷房期、つまり居室２の室内温度（居室内温度）が高く、エアコンディショナー７が冷房運転する場合であれば、空調室１７の温度（空調室温度）が、目標空調環境取得部３３ａが取得した目標空調環境（温度）と同一かそれより低い温度となるように、空調機としてのエアコンディショナー７を制御する。空調室温度制御部２３は、暖房期、つまり居室２の室内温度が低く、エアコンディショナー７が暖房運転する場合であれば、空調室１７の温度が、目標空調環境取得部３３ａが取得した目標空調環境（温度）と同一かそれより高い温度となるように、エアコンディショナー７を制御する。
【００４５】
送風量決定部２４ａは、在・不在居室判定部３２と、目標空調環境取得部３３ａと、準目標空調環境記憶部３４ａと、在居室空調環境制御部２１と、不在居室空調環境制御部２２と、第一温度比較部２７と、第二温度比較部２８と、温度差比較部２９とを備える。
【００４６】
在・不在居室判定部３２は、居室人感センサー１１から取得した情報から人が存在する在居室及び人が存在しない不在居室を判定する。居室人感センサー１１自体が在・不在を判断してその旨を示す信号を在・不在居室判定部３２に送信してもよいし、居室人感センサー１１からの信号に基づいて、在・不在居室判定部３２が在不在を判定してもよい。
【００４７】
目標空調環境取得部３３ａは、在・不在居室判定部３２が在居室と判断した居室２に対して、入出力端末１８を介して在居室２に設定された目標空調環境（温度）を取得する。
【００４８】
在居室空調環境制御部２１は、目標空調環境取得部３３ａが取得した目標空調環境（温度）と、空調室温度制御部２３にて制御された空調室１７の温度と、居室温度センサー９が取得した在居室それぞれの室内温度に基づいて各在居室に対応する各搬送ファン３の送風量を決定する。
【００４９】
準目標空調環境記憶部３４ａは、在居室に対する不在居室の隣接空間距離と、当該隣接空間距離に対応する準目標空調環境（温度）とを関連付けて記憶している。
【００５０】
ここで隣接空間距離とは、不在居室の在居室からの距離である。ただし、ここで言う距離とは、在居室から不在居室までの直線的な距離ではなく、居室を一つの空間とした場合に、在居室からいくつの空間を隔てて不在居室が接続されているかを示す値である。例えば、在居室に隣接し、人が出入り可能なドアを隔てて存在する隣室は、隣接空間距離が１と示される。なお、隣接していても人が出入りできない場合には隣接空間距離が１とはならない。在居室に対して人が出入りできる廊下を隔てて接続される居室は隣接空間距離が２と示される。図２を参照して具体例を示すと、居室２ａが在居室、居室２ｂ〜２ｉが不在居室の場合、居室２ｃは隣接空間距離が１、居室２ｂ、２ｄ、２ｅ、２ｈは隣接空間距離が２、居室２ｆ、２ｇ、２ｉは隣接空間距離が３となる。また、居室２ａ、及び居室２ｉが在居室であり、これら以外の居室が不在居室の場合、居室２ｃ、居室２ｈは隣接空間距離が１、居室２ｂ、２ｄ、２ｅ、２ｇ、２ｆは隣接空間距離が２と示される。
【００５１】
また、準目標空調環境とは、目標空調環境よりもエネルギー負荷の低い空調環境である。ここで、エネルギー負荷の低い空調環境とは、温度を例にすると、夏季、つまり冷房期に、在居室の目標空調環境（温度）が２４度に設定されるとする。この場合、準目標空調環境（温度）とは、２４度よりも高い、つまりエアコンディショナー７の消費電力が低い環境である例えば２６度である。また、冬季、つまり暖房期に、在居室の目標空調環境（温度）が２２度に設定されるとする。この場合、準目標空調環境（温度）とは、２２度よりも低い、つまりエアコンディショナー７の消費電力が低い環境である例えば２０度である。
【００５２】
上記は、準目標空調環境に温度を例として説明したが、湿度の場合、雨季で除湿が必要な環境であれば、目標空調環境（湿度）としての湿度設定よりも高い湿度設定が準目標空調環境（湿度）となり、乾季であればその逆となる。また、清浄度の場合、目標空調環境（清浄度）よりも空気清浄度の高い環境が準目標空調環境（清浄度）となる。
【００５３】
準目標空調環境記憶部３４ａの記憶情報に基づく各居室の目標空調環境（温度）、準目標空調環境（温度）の設定例を以下に示す。
【００５４】
例えば夏季、つまり冷房期に、準目標空調環境記憶部３４ａは、当該不在居室が在居室に対して隣接空間距離が１の場合、準目標空調温度は目標空調温度から＋２℃と記憶している。また、当該不在居室が在居室に対して隣接空間距離が２であれば、準目標空調温度は目標空調温度から＋４℃と記憶している。また、当該不在居室が在居室に対して隣接空間距離が３であれば、準目標空調温度は目標空調温度から＋６℃と記憶している。なお、準目標空調環境記憶部３４ａは、居室２ａ〜２ｉ全てが不在居室である場合や不在居室が在居室から隣接空間距離が例えば４以上など大きく離れている場合等を考慮し、冷房期であれば準目標空調温度の最大値である最大準目標空調温度を例えば＋８℃と記憶している。
【００５５】
同様に冬季、つまり暖房期に、準目標空調環境記憶部３４ａは、当該不在居室が在居室に対して隣接空間距離が１の場合、準目標空調温度は目標空調温度から−２℃と記憶している。また、当該不在居室が在居室に対して隣接空間距離が２であれば、準目標空調温度は目標空調温度から−４℃と記憶している。また、当該不在居室が在居室に対して隣接空間距離が３であれば、準目標空調温度は目標空調温度からー６℃と記憶している。なお、準目標空調環境記憶部３４ａは、居室２ａ〜２ｉ全てが不在居室である場合や不在居室が在居室から隣接空間距離が例えば４以上など大きく離れている場合等を考慮し、暖房期であれば最大準目標空調温度を例えば−８℃と記憶している。
【００５６】
例えば図２において、夏季、つまり冷房期に居室２ａが在居室、居室２ｂ〜２ｉが不在居室の場合、在居室２ａの目標空調温度を２０℃とすると不在居室２ｂ、２ｃは隣接空間距離が１のため準目標空調温度２２℃、不在居室２ｄ、２ｅ、２ｈは隣接空間距離が２のため準目標空調温度２４℃、不在居室２ｆ、２ｇ、２ｉは隣接空間距離が３のため準目標空調温度２６℃となる。図４は夏季、つまり冷房期に居室２ａが在居室、居室２ｂ〜２ｉが不在居室の場合の温度分布図であり、同一の濃度は同一の温度を意味する。
【００５７】
不在居室空調環境制御部２２は、目標空調環境取得部３３ａからの情報と準目標空調環境記憶部３４ａとに基づいて決定した各不在居室の準目標空調環境（温度）と、空調室温度制御部２３にて制御された空調室１７の温度と、居室温度センサー９が取得した不在居室それぞれの室内温度と、に基づいて各不在居室に対応する各搬送ファン３の送風量を決定する。なお、送風量の決定、変更手順については後述する。
【００５８】
第一温度比較部２７は、目標空調環境取得部３３ａが取得した目標空調温度と、空調室温度センサー１２が検出した空調室の温度との温度差を、在居室毎に算出する。また、第一温度比較部２７は、準目標空調環境記憶部３４ａを介して決定した準目標空調温度と、空調室温度センサー１２が検出した空調室の温度との温度差を、在居室毎に算出する。
【００５９】
第二温度比較部２８は、目標空調環境取得部３３ａが取得した目標空調温度と、居室温度センサー９が検出した在居室の室内温度との温度差を、在居室毎に算出する。また、第二温度比較部２８は、準目標空調環境記憶部３４ａを介して決定した準目標空調温度と、居室温度センサー９が検出した不在居室の室内温度との温度差を、不在居室毎に算出する。
【００６０】
温度差比較部２９は、第二温度比較部２８が所定のタイミングＡにて算出した温度差Ａと、第二温度比較部２８が所定のタイミングＡから一定時間経過後のタイミングＢにて算出した温度差Ｂとを比較する。なお、タイミングＡは所定の時刻、タイミングＢは所定の時刻から一定時間経過後の時刻と言い換えることができる。
【００６１】
ファン風量制御部２０は、複数の居室２ａ〜２ｉ毎に対応して設けられた複数の搬送ファン３ａ〜３ｉ個々の風量を、送風量決定部２４ａにて決定された対応する搬送ファン３ａ〜３ｉの送風量に制御する。また、ファン風量制御部２０は、循環ファン６ａ〜６ｉについても制御してよいが、ここでは詳細説明を省略する。
【００６２】
送風総量算出部２５は、複数の搬送ファン３ａ〜３ｉによる送風量の総和である送風総量を算出する。ここで送風量の総和とは、搬送ファン３ａ〜３ｉのそれぞれの単位時間当たりの送風量の和で示される。
【００６３】
送風量比較部２６は、送風総量算出部２５が算出した送風総量と所定の送風量閾値とを比較する。ここで所定の送風量閾値とは、例えば複数の搬送ファン３ａ〜３ｉの最大送風量の総和や、あるいは当該最大送風量の総和の７０％〜９５％の値とすることができる。
【００６４】
記憶部３０は、あらかじめ設定された所定の送風量閾値を記憶する、いわゆるメモリである。また、その他システムコントローラ８による制御に数値などの情報の記憶が必要な場合にも記憶部３０が利用される。
【００６５】
次いで、図５〜図１０を参照して、システムコントローラ８ａにより実行される空調処理について説明する。図５は、空調処理を示すフローチャートである。図６は、空調室の温度と居室の室内温度と目標（準目標）空調温度との関係の一例を示す図である。図７は、空調室温度制御処理を示すフローチャートである。図８は、ファン風量設定処理を示すフローチャートである。図９は、ファン風量調整処理を示すフローチャートである。図１０は空調室負荷低減処理を示すフローチャートである。
【００６６】
システムコントローラ８ａが実行する空調処理は、図５に示すように、主に空調室温度制御処理Ｓ１００、ファン風量設定処理Ｓ２００、ファン風量調整処理Ｓ３００により構成され、この順で実行される。
【００６７】
ユーザが空調処理を実行すると、まず、システムコントローラ８ａは、図７に示す空調室温度制御処理Ｓ１００を実行する。空調室温度制御処理Ｓ１００では、システムコントローラ８ａは、入出力端末１８にて設定された冷暖房期設定を取得する（Ｓ１０１）。ここで冷暖房期設定とは、例えば気温が高くなりエアコンディショナー７を冷房機として運転（稼働）させる夏季を冷房期と設定し、気温が低くなりエアコンディショナー７を暖房機として運転させる冬季を暖房期と設定する。ユーザは、入出力端末１８のカレンダー機能に対して、例えば六月から九月を冷房期と設定し、一二月から三月を暖房期と設定することで、システムコントローラ８ａは当該設定を取得することができる。
【００６８】
その後、システムコントローラ８ａは、目標空調環境取得部３３ａを介して入出力端末１８により在居室に設定された目標空調温度を取得する（Ｓ１０２）。
【００６９】
目標空調温度を取得すると、空調室温度制御部２３は、エアコンディショナー７に空調室１７の目標温度（空調室目標空調温度）を設定する（Ｓ１０３）。具体的に空調室目標空調温度は、以下のように決定される。
【００７０】
図６は、空調室１７及び在居室２ｄ、不在居室２ｃ、不在居室２ｂにおける温度環境を例示している。ここでは冷房期を例として説明する。在居室２ｄは、室内温度が２７℃、目標空調温度が２０℃である。不在居室２ｃは、室内温度が２７℃、在居室２ｄからの隣接空間距離が１であるため、準目標空調温度が２２℃である。不在居室２ｂは、室内温度が２８℃、在居室２ｄからの隣接空間距離が２であるため、準目標空調温度が２４℃である。ここで空調室温度制御部２３は、Ｓ１０１で取得した冷暖房期設定が冷房期、つまり冷房運転であるため、空調室目標空調温度を目標空調温度より低い温度以下の温度に制御する。つまり、図６に示された例では、目標空調温度より低い２０℃以下に設定する。ここでは、空調室目標空調温度を２０℃であるものとする。
【００７１】
なお、暖房期、つまり暖房運転である場合には、空調室温度制御部２３は、空調室目標空調温度を目標空調温度より高い温度以上の温度に制御する。図６のような例示はしないが、暖房期の場合例えば設定温度は２４℃である。
【００７２】
上記設定により、空調室１７は設定温度である２０℃に冷却され、この空調室目標空調温度であればすべての居室２の目標空調温度（ここでは２０℃〜２４℃）に対応可能となる。
【００７３】
次に、システムコントローラ８ａは、図８に示すファン風量設定処理Ｓ２００を実行する。ファン風量設定処理Ｓ２００では、システムコントローラ８ａは、空調室温度センサー１２を介して空調室温度を取得する（Ｓ２０１）。続いて、システムコントローラ８ａは、居室温度センサー９を介して各居室の室内温度を取得する（Ｓ２０２）。その後、システムコントローラ８ａは、在・不在居室判定部３２を介して居室２ａ〜２ｉの在居室・不在居室判定を行う（Ｓ２０３）。さらに、システムコントローラ８ａは、当該居室が在居室と判定された場合は目標空調環境取得部３３ａを介して入出力端末１８により設定された在居室の目標空調温度を、当該居室が不在居室と判定された場合は目標空調環境取得部３３ａからの情報を基に準目標空調環境記憶部３４ａが取得した準目標空調温度を取得する（Ｓ２０４）。
【００７４】
上記取得が完了すると、第一温度比較部２７は、目標（準目標）空調温度と空調室温度とを比較して温度差を算出する（Ｓ２０５）。
【００７５】
第一温度比較部２７が温度差を算出すると、送風量決定部２４ａは、算出した温度差に基づいて搬送ファン３ａ〜３ｉの各々の送風量を決定する（Ｓ２０６）。
【００７６】
送風量の決定は、具体的に以下のように行われる。すなわち、在居室２ｄの目標空調温度が２０℃、空調制御された空調室１７の温度が２０℃であるため、在居室２ｄと空調室１７とを結ぶ搬送ダクトに対応する搬送ファン３ｃの送風量を最大値とする。ここで送風量とは、搬送ファンの送風能力、あるいは動作ノッチとすることができる。例えば搬送ファン３の送風量を送風量の小さいものから順に１〜１０の１０段階の設定が可能とすると、ここでは送風量を１０に決定する。つまり送風量決定部２４ａは、在居室２ｄの室内温度を２７℃から下げ、さらに目標空調温度の２０℃を維持するために、空調室１７の同温（２０℃）の空気を最大量送風するよう、決定する。
【００７７】
また例えば隣接空間距離が１の不在居室２ｃの準目標空調温度が２２℃、空調制御された空調室１７の温度が２０℃であるため、搬送ファン３ｂの送風量を最大値である１０とすると、不在居室２ｃの準目標空調温度が２２℃を下回る可能性がある。よって送風量決定部２４ａは、搬送ファン３ｂの送風量を最大値よりは低い値とする。低い値とは、例えば送風量が８である。
【００７８】
同様に隣接空間距離が２の不在居室２ｂの目標空調温度が２４℃、空調制御された空調室１７の温度が２０℃であるため、搬送ファン３ａの送風量を最大値である１０とすると、不在居室２ｂの準目標空調温度が２４℃を下回る可能性がある。よって送風量決定部２４ａは、搬送ファン３ａの送風量を最大値より低い例えば６とする。
【００７９】
つまり、送風量決定部２４ａは、目標（準目標）空調温度と空調室の温度の差に応じて、例えば第一温度比較部２７が算出した温度差が小さい居室（在居室２ｄ：温度差０℃）に対しては、温度差が大きい居室（例えば不在居室２ｂ：温度差５℃、不在居室２ｃ：温度差２℃）に対するよりも搬送ファン３ｃの送風量を大きくする。
【００８０】
上記処理は、すべての居室に対して行われる（Ｓ２０７Ｎｏ→Ｓ２０２・・・→Ｓ２０７Ｙｅｓ）。
【００８１】
送風量決定部２４ａが各搬送ファン３の風量を決定すると、当該決定に従って、ファン風量制御部２０が各搬送ファン３を制御する。
【００８２】
これにより、空調室温度制御部２３が制御した空調室１７の温度と、独立した複数の搬送ファン３ａ〜３ｉの制御によって、在居室を目標空調温度に、不在居室を準目標空調温度に制御することが可能となる。
【００８３】
以上の処理により、在居室には、人が要求する、すなわち最も心地よい目標空調環境を提供し、不在居室に対してはエネルギー負荷の少ない準目標空調環境を提供することができる。これにより、全居室をすべて目標空調環境とするよりもエネルギー負荷を下げることができる。しかも、人が在居室から不在居室に移動した場合であっても空調環境の変化が少ない。このため、急激な環境変化が人に与える例えばヒートショック等の悪影響を抑制することが可能となる。
【００８４】
さらに、不在居室の空調環境は、在居室からの隣接空間距離に応じて漸次、エネルギー負荷を下げた空調環境を提供している。このため、人が複数の空間にわたって移動する際であっても環境は緩やかに変化する。したがって、人を環境に慣れさせることができ、環境変化にともなう悪影響を低減できる。
【００８５】
なお、上記処理に基づけば、人が他の不在居室に移動した後は、その不在居室が在居室となり、さらに在居室が不在居室に変更される。これにより、新たな移動先の不在居室が在居室の目標空調環境に変更され、すなわち人が最も心地よい空調環境となる。そして、在居室から不在居室に変更された居室は、エネルギー負荷の低い準目標空調環境に移行するため、家屋全体としてエネルギー負荷の低い環境が維持可能となる。
【００８６】
なお、居室の室内温度と目標（準目標）空調温度との差にかかわらず、目標（準目標）空調温度に到達していない居室に対しては、まず最大風量で送風することで、素早く目標（準目標）空調温度に到達させることも可能である。この場合であっても、後述のファン風量調整処理Ｓ３００によって、各居室を目標（準目標）空調温度に維持することが可能である。しかしながら、空調室１７は、複数の居室２に空気を搬送しているため、一度に大量の空気の搬送が発生すると、空調室１７の冷暖房処理が追い付かず、つまり冷暖房効果が低下してしまう。例えば空調システムの処理の開始や、不在の住宅に対して家族が帰宅し、各居室が一斉に目標空調温度に設定された場合などがこれに該当する。これらに対応するためには、空調室の体積を大きくしてもよいが、これでは空間コストが上がり、さらに空調機も大容量化が要求される。これに対して送風量決定部２４ａは、温度差が小さい居室に対し、温度差が大きい居室に対するよりも搬送ファンの送風量を大きくしている。言い換えると、送風量決定部２４ａは、温度差が大きい居室に対しては、温度差が小さい居室に対するよりも搬送ファンの送風量を小さくしている。これにより、各居室の室内温度を目標（準目標）空調温度に徐々に下げることで、冷暖房効果の低下を抑制し、結果的に空調室の小型化を実現している。
【００８７】
ところで、上記設定では、例えば在居室２ｄの目標空調温度は空調室１７の温度と同一の２０℃であるため、搬送ファン３ｃを最大風量で制御することで、在居室２ｄを目標空調温度に制御可能である。しかしながら、例えば不在居室２ｂに対しては、準目標空調温度が２４℃であるため、上記例の送風量が５の場合では、準目標空調温度に到達するのか、または到達して維持できるのか、あるいは過冷却となるのかが不明である。不在居室２ｃに対しても同様である。このような状況に対応するために、システムコントローラ８ａは、図９に示すファン風量調整処理Ｓ３００を実行する。ファン風量調整処理Ｓ３００では、システムコントローラ８ａは、ファン風量設定処理Ｓ２００が終了してから一定時間経過したか否かを判定する（Ｓ３０１）。一定時間経過していない場合には、一定時間経過するまで待機する（Ｓ３０１Ｎｏ）。これは、ファン風量設定処理Ｓ２００が設定した環境にて空調システムを稼働させ、各居室の室内温度を目標空調温度に近づけるための時間を確保するためである。
【００８８】
一定時間が経過すると、システムコントローラ８ａは、居室温度センサー９を介して各居室の室内温度を取得する（Ｓ３０２）。さらに、システムコントローラ８ａは、在・不在居室判定部３２を介して居室２ａ〜２ｉの在居室・不在居室判定を行う（Ｓ３０３）。その後、システムコントローラ８ａは、当該居室が在居室と判定された場合は目標空調環境取得部３３ａを介して入出力端末１８により設定された在居室の目標空調温度を、当該居室が不在居室と判定された場合は目標空調環境取得部３３ａからの情報を基に準目標空調環境記憶部３４ａが取得した不在居室の準目標空調温度を取得する（Ｓ３０４）。
【００８９】
上記取得が完了すると、第二温度比較部２８は、目標（準目標）空調温度と居室の室内温度とを比較して温度差（温度の乖離）を算出する（Ｓ３０５）。
【００９０】
第二温度比較部２８が温度差を算出すると、温度差比較部２９は、前回のファン風量調整処理Ｓ３００にて記憶した、前回のタイミング（タイミングＡに該当）にて第二温度比較部が算出した温度差Ａと比較する。今回は一回目の処理なので前回算出した温度差Ａが存在しないため、比較は行わずに算出した温度差を温度差Ａとして記憶部３０に記憶してＳ３０１の処理に戻る。
【００９１】
なお、前回のタイミング（タイミングＡ）にて算出した温度差Ａがある場合、温度差比較部２９は、今回のタイミング（タイミングＢに該当）で第二温度比較部２８が算出した温度差Ｂと、記憶部３０に記憶しているタイミングＡにおける温度差Ａとを比較する。
【００９２】
ここで、タイミングＡからタイミングＢへの時間の遷移によって、居室の室内温度の目標（準目標）空調温度からの乖離が小さくなっている場合、つまり温度差Ｂが温度差Ａより小さい場合、搬送ファン３の動作によって、居室の室温が目標（準目標）空調温度に近づいていることを意味する。このため、送風量決定部２４ａは、搬送ファン３の送風量を減少させる（Ｓ３０６Ｙｅｓ→Ｓ３０７）。
【００９３】
また、タイミングＡからタイミングＢへの時間の遷移によって、居室の室内温度の目標（準目標）空調温度からの乖離が無いか又は大きくなっている場合、つまり温度差Ｂが温度差Ａより大きい場合、さらに過冷却（冷房期の場合）、過加熱（暖房期の場合）を判定する（Ｓ３０８）。つまり、乖離が大きくなっている場合には、搬送ファン３の送風量が大きすぎて目標（準目標）空調温度を超えた冷却（加熱）を行っている場合（過処理）と、搬送ファン３の送風量が小さすぎて目標空調温度に近づかず、さらに外気の影響で居室の室内温度が目標（準目標）空調温度から離れている場合と、が考えられる。このため、Ｓ３０８にてこれらを判定する。
【００９４】
ここで、過冷却や過加熱、つまり過処理であると判定された場合、送風量決定部２４ａは、搬送ファンの送風量を減少させる（Ｓ３０８Ｙｅｓ→Ｓ３０７）。
【００９５】
また、過冷却や過加熱、つまり過処理ではないと判定された場合、送風量決定部２４ａは、搬送ファンの送風量を増加させる（Ｓ３０８Ｎｏ→Ｓ３０９）。
【００９６】
上述の過冷却（過加熱）か否か（過処理か否か）は、冷暖房期設定と、目標（準目標）空調温度と、居室の室内温度とから判定可能である。
【００９７】
なお、図９には示していないが、タイミングＡからタイミングＢへの時間の遷移によって乖離が無く、さらに居室の室内温度が目標（準目標）空調温度に近い（例えばプラスマイナス０．３℃）範囲の場合には、搬送ファンの送風量を変更せず、維持してもよい。
【００９８】
上記ファン風量調整処理Ｓ３００は、一定時間ごとに実行される。
【００９９】
以上に示したファン風量調整処理Ｓ３００により、空調室温度制御部２３による空調室の温度制御と搬送ファン３の送風量制御によって、各居室を目標（準目標）空調温度に到達させ、目標（準目標）空調温度を維持することが可能となる。
【０１００】
特に空調室１７は、循環ファン６等により複数の居室からの様々な温度の空気が流入するため、温度変化が激しい。よって、気圧差とダンパーを利用したシステムなどでは制御が困難であるため、搬送ファン３を利用して送風することが重要である。なお、上述の処理であれば、一般的なファンを搬送ファンに利用しても温度制御が可能であるが、細かい温度制御を可能とするためにも、ダクト長や圧の影響を受けずに設定された一定量の送風量を維持できる風量一定制御機能部を備えたファンを搬送ファンに利用するのが好ましい。
【０１０１】
なお、上記空調処理は、各目標空調温度の設定の変更や冷暖房期の切替処理を割り込み処理として、当該割り込み処理が行われた場合には、空調温度制御処理Ｓ１００から開始されることで、設定変更に対応可能となる。
【０１０２】
ところで、空調室１７は限られた体積を備えた空間であり、例えばすべての居室２ａ〜２ｉに対して最大の送風量である１０で冷房又は暖房する必要が生じた場合、空調室１７の温度維持が困難になる。これは、空調室１７は、温度調節された空気の流出が多く、逆に空調室１７の設定温度に比較して温度差の大きい空気の流入が多くなることに起因する。
【０１０３】
従って、このような状況に対応するために、システムコントローラ８ａは、図１０に示す空調室負荷低減処理Ｓ４００を実行してもよい。空調室負荷低減処理Ｓ４００では、送風総量算出部２５は、複数の搬送ファン３ａ〜３ｉによる送風量の総和である送風総量を算出する（Ｓ４０１）。次に、送風量比較部２６は、送風総量算出部２５が算出した送風総量（送風総和）と、記憶部３０にあらかじめ記憶されている所定の送風量閾値とを比較する（Ｓ４０２）。ここでは、所定の送風量閾値は、複数の搬送ファン３ａ〜３ｉの最大送風量の総和の８０％の値とする。
【０１０４】
ここで、送風総和が所定の送風量閾値を超えている場合（Ｓ４０３でＹｅｓ）、送風量比較部２６は、さらに入出力端末１８にて設定された冷暖房期設定を取得し、この情報を基に冷暖房期を判定する（Ｓ４０４）。送風量比較部２６は、送風総和が所定の送風量閾値を超えている旨及び冷房期又は暖房期である旨を空調室温度制御部２３に送信する。なお、送風総和が所定の送風量閾値以下の場合は（Ｓ４０３でＮｏ）、処理を終了する。
【０１０５】
空調室温度制御部２３は、送風総和が所定の送風量閾値を超えている旨と冷房期又は暖房期である旨を受信すると、冷房期の場合には、空調室温度を現状の設定からさらに低く変更する（Ｓ４０４冷房期→Ｓ４０６）。また、空調室温度制御部２３は、暖房期の場合には、空調室温度の現状の設定からさらに高く変更する（Ｓ４０４暖房期→Ｓ４０５）。
【０１０６】
空調室温度制御部２３は、空調室温度の設定を変更した旨を送風量決定部２４ａに送信し、送風量決定部２４ａはこれに基づいて搬送ファン３の送風量を減少させる（Ｓ４０７）。
【０１０７】
これにより、空調室１７の温度の設定をより低く（冷房期）あるいは高く（暖房期）変更することで、空調室１７の限られた体積を増加させることなく目標（準目標）空調温度の幅広い温度領域に対応可能となる。
【０１０８】
なお、空調室温度の下げ幅（冷房期）や上げ幅（暖房期）は、固定値とするのではなく、送風総和が所定の送風量閾値を超えている量に比例して大きくすると空調室１７の利用効率とエネルギー消費量の面で有利である。具体的には、所定の送風量閾値が７０であって送風総和が８０の場合には、２℃、温度を変更する。同じく送風総和が９０の場合には４℃、送風総和が１００の場合には６℃といった変更がこれに該当する。
【０１０９】
以上、本開示に係る空調システム及びシステムコントローラについて説明を行ったが、上記実施の形態は、一例であり、これに限定されるものではない。
【０１１０】
例えば、循環ファン６ａ〜６ｉ、及び搬送ファン３ａ〜３ｉは、居室と空調室とを接続するダクトによって連通されている。しかしながら循環ファン６ａ〜６ｉについては必ずしもダクトで接続する必要はなく、居室間を結ぶ廊下等の空間をダクトとみなすことも可能である。この場合、居室内の空気は居室から循環ファン６ａ〜６ｉによって廊下に搬送される。廊下に搬送された居室内の空気は、廊下と連通する空調室１７に取り込まれる。空調室１７への取り込みは、空調室１７の廊下に面した壁面に新たに循環ファンを備えることで行われ、あるいは循環ファンを利用することなく空調室の負圧化により取り込んでもよい。このような構成によっても、ダクトで接続するのに対して循環効率は下がることが予想されるが、空調システムに寄与することができる。
【０１１１】
また、上記実施の形態では、居室として示しているが、居室は必ずしも人が居る必要は無く、一つの空間として捉えることができる。つまり、廊下やキッチンもある程度区切られているのであれば１つの空間として捉えることができ、１つの居室に該当する。
【０１１２】
また、本開示に係る空調システムは、戸建て住宅やマンション等の複合住宅に適用可能である。ただし、空調システムを複合住宅に適用する場合には、１つのシステムが世帯単位に対応するものであり、各世帯を１つの居室とするものではない。
【０１１３】
（実施の形態２）
続いて、実施の形態２に係る空調システムについて説明を行う。なお、実施の形態１との共通点については説明を省略する。
【０１１４】
実施の形態１においては、各人感センサーから取得した情報を基に複数の居室における人の在・不在を判断し、人が存在する在居室からの隣接空間距離を基に空調制御を行うことでエネルギー効率が高く人体への悪影響の少ない空調システムを提供した。これに対して、温度差による人体への影響を抑制することも可能である。実施の形態２は、所定の居室内の人が次に移動する居室を把握している場合の空調制御に関するものである。なお、空調制御以外は既に実施の形態１で述べた通りである。そのため、以下では実施の形態１からの変更点である制御方法についてのみ述べる。
【０１１５】
まず、図１１を参照して、システムコントローラ８ｂの各機能について説明する。図１１は、システムコントローラ８ｂの概略機能ブロック図である。
【０１１６】
システムコントローラ８ｂは、空調室温度制御部２３、送風量決定部２４ｂ、ファン風量制御部２０、送風総量算出部２５、送風量比較部２６、記憶部３０を備える。つまり図３の送風量決定部２４ａに代えて送風量決定部２４ｂを備えている。
【０１１７】
送風量決定部２４ｂは、送風量決定部２４ａに加えて、変更受付部４４と、制御変更部４５と、仮想在居室解除部４６と、仮想不在居室解除部４７と、タイマー設定部４８とを備える。
【０１１８】
変更受付部４４は、入出力端末１８を介して所定の不在居室を仮想在居室に変更する在居室命令、または所定の在居室を仮想不在居室に変更する不在居室命令を受け付ける。
【０１１９】
制御変更部４５は、変更受付部４４が受け付けた在居室命令または不在居室命令を基に、所定の不在居室を仮想在居室に変更する、もしくは所定の在居室を仮想不在居室に変更する。ここで仮想在居室とは不在居室ではあるが仮想的に在居室として扱うべき居室を指す。つまり、仮想在居室は、人が存在しないため不在居室ではあるが、例えばユーザが、所定の時間後に不在居室（仮想在居室）に移動する予定がある場合には、あらかじめ不在居室を目標空調環境に設定するために用いられる。なお、仮想不在居室も仮想在居室と同様である。つまり、仮想不在居室とは、在居室ではあるが仮想的に不在居室として扱うべき居室を指す。仮想不在居室は、人が存在するため在居室ではあるが、例えばユーザが、所定の時間後に在居室（仮想不在居室）から移動する予定がある場合には、あらかじめ在居室を準目標空調環境に設定するために用いられる。
【０１２０】
仮想在居室解除部４６は、所定の不在居室が制御変更部４５からの信号で仮想在居室に変更された後に、居室人感センサー１１から取得した情報を基に仮想在居室内に人が存在することが判明した際に、仮想在居室を在居室に変更する。
【０１２１】
仮想不在居室解除部４７は、所定の在居室が制御変更部４５からの信号で仮想不在居室に変更された後に、居室人感センサー１１から取得した情報を基に仮想不在居室内に人が存在しないことが判明した際に、仮想不在居室を不在居室に変更する。
【０１２２】
タイマー設定部４８は、制御変更部４５が在居室命令を受けて所定の不在居室を仮想在居室に変更した場合に、在居室空調環境制御部２１が仮想在居室を目標空調環境に近づけるまでの待機時間を設定する。例えば、午後６時から仮想在居室を目標空調環境に近づける空調制御を設定したい場合には、午後６時以前の午後５時３０分に制御変更部４５が不在居室を仮想在居室に変更している場合でもタイマー設定部４８で待機時間を３０分に設定すれば午後６時から空調制御を行うことが出来る。また、午後６時までに仮想在居室を目標空調環境に近づける空調制御を設定したい場合には、午後６時より前の午後５時に制御変更部４５が不在居室を仮想在居室に変更している場合でもタイマー設定部４８で待機時間を３０分に設定すれば午後５時３０分から空調制御を行い午後６時までに空調制御を行うことも可能である。なお、ここでは制御変更部４５が在居室命令を受けた場合に関して述べたが、制御変更部４５が不在居室命令を受けた場合も同様である。つまり制御変更部４５が不在居室命令を受けて所定の在居室を仮想不在居室に変更した場合に、不在居室空調環境制御部２２が仮想不在居室を準目標空調環境に近づけるまでの待機時間を設定する。例えば、午後６時から空調制御を行う設定をしたい場合には、午後６時以前の午後５時３０分に制御変更部４５が在居室を仮想不在居室に変更している場合でも待機時間を３０分に設定すれば午後６時から仮想不在居室が準目標空調環境に近づくように空調制御を行う。また、午後６時までに準目標空調環境に近づける待機時間を設定したい場合に、午後６時より前の午後５時に制御変更部４５が在居室を仮想不在居室に変更している場合でも待機時間を３０分に設定すれば午後５時３０分から空調制御を行い午後６時までに仮想不在居室が準目標空調環境に近づくような空調制御を行うことも可能である。
【０１２３】
以下、図１２を参照しながら、変更受付部４４、制御変更部４５、仮想在居室解除部４６、仮想不在居室解除部４７、タイマー設定部４８の具体的な動作について一例を挙げて説明する。
【０１２４】
図１２は入出力端末１８に表示される移動予定設定画面の一例である。なお、移動予定設定画面は、例えば変更受付部４４により入出力端末１８に提供され、或いはあらかじめ入出力端末１８に組み込まれたアプリケーションにより描画される。また、移動予定設定画面に描画される人の位置は、居室人感センサー１１から取得された情報が変更受付部４４を介して入出力端末１８に提供され、居室全体図上に人型のアイコンとして描画される。
【０１２５】
図１２のＳｔｅｐ１において居室２ａ、２ｉはそれぞれ居室人感センサー１１ａ，１１ｉによって在居室と判断されており、居室２ｂ、２ｃ、２ｄ、２ｅ、２ｆ、２ｇはそれぞれ居室人感センサー１１ｂ、１１ｃ、１１ｄ、１１ｅ、１１ｆ、１１ｇによって不在居室と判断されている。例えばユーザが、在居室２ｉから不在居室２ｆに移動する予定がある場合には、Ｓｔｅｐ２に示すように、入出力端末１８上で在居室２ｉから不在居室２ｆへ人型のアイコンを移動させる。
【０１２６】
この入力により、まず変更受付部４４は入出力端末１８からシステムコントローラ８ｂへ送信された、居室２ｉを在居室から仮想不在居室へと変更する不在居室命令、及び、居室２ｆを不在居室から仮想在居室へと変更する在居室命令を受け付ける。
【０１２７】
次に変更受付部４４は、制御変更部４５へ在居室命令及び不在居室命令を伝える。さらに制御変更部４５は変更受付部４４からの不在居室命令及び在居室命令を基に居室２ｉを在居室から仮想不在居室へ、居室２ｆを不在居室から仮想在居室へと変更する。
【０１２８】
続いて、システムコントローラ８ｂは仮想不在居室へと変更された居室２ｉを、不在居室空調環境制御部２２を介して準目標空調環境に近づくように空調制御を行い、仮想在居室へと変更された居室２ｆを、在居室空調環境制御部２１を介して目標空調環境に近づくように空調制御を行う。
【０１２９】
これによって、人が移動することをシステムコントローラ８ｂが把握し、対応する不在居室を仮想在居室として目標空調環境に予め制御できるため、移動先と現在在室中の居室の温度差が小さくなり、実施の形態１よりも人体への影響を及ぼさない空調制御が可能になる。
【０１３０】
また、この際に、図１２のＳｔｅｐ３に示すように、ユーザが入出力端末１８上で空調制御を行うまでの待機時間を例えば３０分に設定することも可能である。具体的な例を挙げると、例えばユーザが在居室２ｉにてＴＶ番組を視聴しており、当該ＴＶ番組が終了する時刻、つまり例えば４０分後の時刻に不在居室２ｆに移動するものとする。このような場合には、ユーザは、Ｓｔｅｐ２に示すように、入出力端末１８上で在居室２ｉから不在居室２ｆへ人型のアイコンを移動させる。また、Ｓｔｅｐ３に示すように数直線上で待機時間を３０分として入力する。ここで、３０分は４０分後の移動に対して１０分の空調時間を踏まえた待機時間である。なお、図１２においては数直線上で待機時間を設定できる例を挙げている。
【０１３１】
変更受付部４４が在居室命令及び不在居室命令を受け付ける際に、タイマー設定部４８は入出力端末１８からシステムコントローラ８ｂへ送信された３０分の待機時間を受け付ける。次にタイマー設定部４８は在居室空調環境制御部２１もしくは不在居室空調環境制御部２２へ入力された３０分の待機時間を含む待機命令を送信する。ここで待機命令とは在居室空調環境制御部２１もしくは不在居室空調環境制御部２２が、入力された待機時間を経過してから仮想在居室及び仮想不在居室に対して空調制御を行うように設定する命令である。これによって、在居室空調環境制御部２１及び不在居室空調環境制御部２２は３０分の待機時間経過後に仮想在居室もしくは仮想不在居室に対して空調制御を開始する。
【０１３２】
タイマー設定部４８を用いて待機時間を設定できるため、ユーザが自己の都合に合わせて予め移動予定時間を入力できる。
【０１３３】
また、システムコントローラ８ｂは居室人感センサー１１ｉ、１１ｆから取得した情報を仮想在居室解除部４６および仮想不在居室解除部４７へ送信する。人が実際に移動した後、仮想在居室解除部４６は居室人感センサー１１ｆから取得した情報を基に居室２ｆを仮想在居室から在居室に変更する。さらに仮想不在居室解除部４７は居室人感センサー１１ｉから取得した情報を基に居室２ｉを仮想不在居室から不在居室へと変更する。これによって上記制御以外は実施の形態１と同様の制御が可能となる。
【０１３４】
なお、数直線による時間範囲及び表示形式は一例であり、これに限定されるものではない。
【０１３５】
また、上記入出力端末１８上の表示は一例でありこれに限定されるものではない。
【０１３６】
（実施の形態３）
続いて、実施の形態３について説明を行う。なお、実施の形態１との共通点については説明を省略する。
【０１３７】
まず、図１３、図２を参照して、本開示の実施の形態２に係る空調システム１９について説明する。図１３は、本実施の形態に係る空調システム１９の接続概略図であり、図２は、本実施の形態に係る一般住宅１の居室配置の一例を示す図である。なお、図２は実施の形態１で既に説明した通りである。また、図１３はすでに説明した図１から居室人感センサー１１を除いている点以外は同様である。
【０１３８】
次いで、図１４を参照して、システムコントローラ８ｃの各機能について説明する。図１４は、システムコントローラ８ｃの概略機能ブロック図である。
【０１３９】
システムコントローラ８ｃは、空調室温度制御部２３、送風量決定部２４ｃ、ファン風量制御部２０、送風総量算出部２５、送風量比較部２６、記憶部３０を備える。つまり図３の送風量決定部２４ａに代えて送風量決定部２４ｃを備えている。
【０１４０】
送風量決定部２４ｃは、居室・非居室記憶部４３と、目標空調環境取得部３３ｂと、準目標空調環境記憶部３４ｂと、居室空調環境制御部４１と、非居室空調環境制御部４２と、第一温度比較部２７と、第二温度比較部２８と、温度差比較部２９とを備える。
【０１４１】
居室・非居室記憶部４３は、居室２ａ〜２ｉを居室と非居室に分けて記憶している。また、各居室と、居室温度センサー９、搬送ファン３、循環ファン６とが対応付けて記憶されている。ここで言う居室とは、人が家屋に居住するにあたり長時間過ごす空間が該当する。つまり、居室とはリビング（居間）、ダイニング（台所・食堂）、寝室、子供部屋等が含まれる。また、非居室とは、家屋を構成する空間であって居室に該当しない空間が該当する。つまり非居室とは、トイレ、物置、浴室、洗面所、脱衣所、廊下、玄関等が含まれる。なお、台所での滞在頻度が短い家庭であれば、当然ながらこの台所を非居室に該当させてもよく、その逆も可能である。つまり、空調制御対象となる空間が居室か非居室かのどちらかに割り当てられていればよい。
【０１４２】
目標空調環境取得部３３ｂは、居室・非居室記憶部４３に基づいて居室と判断した居室２に対して、入出力端末１８を介して居室２に設定された目標空調環境を取得する。
【０１４３】
準目標空調環境記憶部３４ｂは、目標空調環境に対する非居室の準目標空調環境を記憶している。準目標空調環境記憶部３４ｂの記憶情報に基づく各居室の目標空調環境（温度）、準目標空調環境（温度）の設定例を以下に示す。
【０１４４】
例えば夏季、つまり冷房期に、準目標空調環境記憶部３４ｂは、当該居室が非居室の場合、準目標空調温度は目標空調温度から＋２℃と記憶している。同様に冬季、つまり暖房期に、準目標空調環境記憶部３４ｂは、当該居室が非居室の場合、準目標空調温度は目標空調温度から−２℃と記憶している。
【０１４５】
例えば図２において、夏季、つまり冷房期に居室の目標空調温度を２０℃とすると、非居室の準目標空調温度は２２℃となる。同様に冬季、つまり暖房期に居室の目標空調温度が２０℃とすると、非居室の準目標空調温度は１８℃となる。
【０１４６】
居室空調環境制御部４１は、目標空調環境取得部３３ｂを介して入出力端末１８により設定された居室の目標空調環境（温度）と、空調室温度制御部２３にて制御された空調室１７の温度と、居室温度センサー９が取得した居室それぞれの室内温度に基づいて各搬送ファン３の送風量を決定する。
【０１４７】
非居室空調環境制御部４２は、目標空調環境取得部３３ｂからの情報と、居室・非居室記憶部４３とに基づいて決定した非居室の準目標空調環境（温度）と、空調室温度制御部２３にて制御された空調室１７の温度と、居室温度センサー９が取得した非居室それぞれの室内温度とに基づいて各搬送ファン３の送風量を決定する。送風量の決定手順は実施の形態１で述べたとおりである。以上のように、居室には、人が要求する、すなわち最も心地よい目標空調環境を提供し、非居室に対してはエネルギー負荷の少ない準目標空調環境を提供することができる。これにより、全居室をすべて目標空調環境とするよりもエネルギー負荷を下げることができる。しかも、非居室よりも在室時間が長いと予想される居室に心地よい目標空調環境を提供しているため、人に心地よい空調環境を提供できる可能性が高く、単純な構成でエネルギー負荷の低い全館空調が提供できる。
【０１４８】
当然、人が居室から非居室に移動した場合であっても空調環境の変化が少ないため、急激な環境変化が人に与える例えばヒートショック等の悪影響を抑制することが可能となる。なお、上記実施の形態１、２及び３は、空調環境を温度として説明を行った。しかしながら、空調室を利用した全館空調であれば、空調室の湿度環境を整えることで各居室における湿度環境も搬送ファンの風量によって調節可能となる。つまり、空調環境として湿度に着目すれば、空調室の湿度を最も心地よい湿度である目標空調環境（湿度）に維持する。そして、在居室や居室には搬送ファンの風量を増加させることで目標空調環境（湿度）に維持し、不在居室や非居室に対しては、在居室や居室に比べて搬送ファンの風量を減少させることで、準目標空調環境（湿度）に維持することが可能となる。
【０１４９】
当然ながら、清浄度も同様に、空調室の清浄度環境を整えることで各居室における清浄度環境を搬送ファンの風量によって調節可能となる。つまり、空調環境として清浄度に着目すれば、空調室の清浄度を、要求される最も高い清浄度に設定し、目標空調環境（清浄度）に維持する。そして、在居室や居室には搬送ファンの風量を増加させることで目標空調環境（清浄度）に維持し、不在居室や非居室に対しては、在居室や居室に比べて搬送ファンの風量を減少させることで、準目標空調環境（清浄度）に維持することが可能となる。
【０１５０】
これによって、温度だけではなく、湿度及び清浄度についても、省エネルギーの全館空調が実現可能となる。
【産業上の利用可能性】
【０１５１】
本開示にかかる空調システムは、複数の居室にて人の在・不在や居室・非居室を判断し、従来よりも省エネルギーの運転で、全館空調を効率的に実施できるものである。
【符号の説明】
【０１５２】
１    一般住宅
２、２ａ、２ｂ、２ｃ、２ｄ、２ｅ、２ｆ、２ｇ、２ｈ、２ｉ    居室
３、３ａ、３ｂ、３ｃ、３ｄ、３ｅ、３ｆ、３ｇ、３ｈ、３ｉ    搬送ファン
４    外気導入ファン
５、５ａ、５ｂ、５ｃ、５ｄ、５ｅ、５ｆ、５ｇ、５ｈ、５ｉ    排気ファン
６、６ａ、６ｂ、６ｃ、６ｄ、６ｅ、６ｆ、６ｇ、６ｈ、６ｉ    循環ファン
７    エアコンディショナー
８、８ａ、８ｂ、８ｃ    システムコントローラ
９、９ａ、９ｂ、９ｃ、９ｄ、９ｅ、９ｆ、９ｇ、９ｈ、９ｉ    居室温度センサー
１０、１０ａ、１０ｂ、１０ｃ、１０ｄ、１０ｅ、１０ｆ、１０ｇ、１０ｈ、１０ｉ    居室湿度センサー
１１、１１ａ、１１ｂ、１１ｃ、１１ｄ、１１ｅ、１１ｆ、１１ｇ、１１ｈ、１１ｉ    居室人感センサー
１２    空調室温度センサー
１３    空調室湿度センサー
１５    加湿器
１６    除湿器
１７    空調室
１８    入出力端末
１９    空調システム
２０    ファン風量制御部
２１    在居室空調環境制御部
２２    不在居室空調環境制御部
２３    空調室温度制御部
２４ａ、２４ｂ、２４ｃ    送風量決定部
２５    送風総量算出部
２６    送風量比較部
２７    第一温度比較部
２８    第二温度比較部
２９    温度差比較部
３０    記憶部
３２    在・不在居室判定部
３３ａ、３３ｂ    目標空調環境取得部
３４ａ、３４ｂ    準目標空調環境記憶部
４０    空気清浄機
４１    居室空調環境制御部
４２    非居室空調環境制御部
４３    居室・非居室記憶部
４４    変更受付部
４５    制御変更部
４６    仮想在居室解除部
４７    仮想不在居室解除部
４８    タイマー設定部
【図１】
2020195337.tif 000003
【図２】
2020195337.tif 000004
【図３】
2020195337.tif 000005
【図４】
2020195337.tif 000006
【図５】
2020195337.tif 000007
【図６】
2020195337.tif 000008
【図７】
2020195337.tif 000009
【図８】
2020195337.tif 000010
【図９】
2020195337.tif 000011
【図１０】
2020195337.tif 000012
【図１１】
2020195337.tif 000013
【図１２】
2020195337.tif 000014
【図１３】
2020195337.tif 000015
【図１４】
2020195337.tif 000016
【国際調査報告】
2020195337.tif 000017
2020195337.tif 000018
2020195337.tif 000019
2020195337.tif 000020